(57)【要約】【課題】簡単な構成でコンテンツを回転表示した場合でもコンテンツの視認性を確保するとともに、操作性に優れたコンテンツ表示装置およびプログラムを提供する。【解決手段】表示部（１２０）にコンテンツを表示するコンテンツ表示装置（１）において、表示部（１２０）に表示されたコンテンツへのジェスチャー操作による回転方向と操作量を含む操作情報を検出するタッチ検出部（１４０）と、コンテンツの操作前の座標情報と前記操作情報とを関連付けて記憶する記憶部（１６０）と、を備え、画像処理部（１８０）の構成として、回転表示するコンテンツ枠を表示する第１の表示処理部（１８１）と、回転表示するコンテンツ画像を表示する第２の表示処理部（１８２）と、回転操作後のコンテンツを表示する第３の表示処理部（１８３）と、を備えることを特徴とする。【選択図】図２
2020053093.tif 000002
【特許請求の範囲】
【請求項１】
表示領域にコンテンツを表示する制御を行う表示制御部と、
前記コンテンツへの回転方向と操作量とを含む操作情報を検出する検出部と、
前記コンテンツの操作前の座標情報と前記操作情報とを記憶する記憶部と、
前記操作情報から得られた回転角度と前記コンテンツの形状の大きさに基づき、当該コンテンツの表示倍率を決定する決定部と、
を備え、
前記表示制御部は、
前記コンテンツの回転角度に基づき、前記決定部で決定した前記表示倍率のコンテンツの形状に当該表示倍率とは異なる表示倍率で前記コンテンツを表示するか、前記コンテンツの形状と同一の表示倍率でコンテンツを表示することを特徴とするコンテンツ表示装置。
【請求項２】
前記決定部は、前記コンテンツの形状が前記表示領域より大きくなる場合、当該コンテンツの形状が表示領域に収まる大きさの表示倍率を決定することを特徴とする請求項１に記載のコンテンツ表示装置。
【請求項３】
前記表示制御部は、前記コンテンツの回転角度が特定角度になったとき、前記コンテンツの形状とコンテンツとを操作前の座標情報に復元して表示することを特徴とする請求項１又は２に記載のコンテンツ表示装置。
【請求項４】
表示領域にコンテンツを表示する制御を行う表示制御部と、
前記コンテンツへの回転方向と操作量とを含む操作情報を検出する検出部と、
前記コンテンツの操作前の座標情報と前記操作情報とからコンテンツの形状の大きさを算出する算出部と、
前記コンテンツの形状の大きさに基づき、当該コンテンツの表示倍率を決定する決定部と、
を備え、
前記表示制御部は、
前記コンテンツの形状の大きさが、前記表示領域の大きさを超えると、前記決定部で決定した前記表示倍率のコンテンツの形状に当該表示倍率とは異なる表示倍率で前記コンテンツを表示することを特徴とするコンテンツ表示装置。
【請求項５】
前記コンテンツの形状の大きさは、コンテンツの対角線長であって、
前記表示制御部は、前記コンテンツを回転表示した場合に、前記コンテンツの形状の大きさが、前記表示領域の大きさを超える場合には、前記決定部で決定した前記表示倍率のコンテンツの形状に当該表示倍率とは異なる表示倍率で前記コンテンツを表示することを特徴とする請求項４に記載のコンテンツ表示装置。
【請求項６】
表示領域にコンテンツを表示する制御を行う表示制御部と、
前記コンテンツへの操作を検出する検出部と、
前記検出部によりコンテンツの回転操作が検出された場合、回転角度と、コンテンツの形状の大きさとからコンテンツの高さを算出する算出部と、
を備え、
前記表示制御部は、
前記コンテンツの形状の高さが、前記表示領域の大きさを超えた場合には、コンテンツの形状の高さを前記表示領域の大きさ以下になる表示倍率で縮小表示しつつ、コンテンツは縮小表示したコンテンツの形状で含まれる範囲に等倍で表示することを特徴とするコンテンツ表示装置。
【発明の詳細な説明】
【技術分野】
【０００１】
本発明は、表示画面にコンテンツを表示するコンテンツ表示装置に関する。
【背景技術】
【０００２】
近年、コンピュータやＡＶ装置などコンテンツを表示する様々な装置において、大画面化が進んでいる。そして、大画面の表示装置を用いて、多数のコンテンツを一度に表示させるようにしたものや、複数のユーザが１つの表示画面を共有して使用するようにしたものが知られている。
【０００３】
多数のコンテンツを一度に表示させる場合、それぞれのコンテンツの内容が分かるようにする必要がある。
【０００４】
そこで、従来技術として、例えば、コンテンツ表示装置において、レイヤ構成されたコンテンツに対して縮小する操作が行われた際に、表示倍率が閾値を超えた場合に、特殊縮小表示処理が行われて図形はサムネイル化表示されるが、文字は視認可能な大きさのフォントサイズで表示するようにして、視認性を高くするようにしたものが提案されている（特許文献１を参照）。
【０００５】
また、複数のユーザが１つの表示画面を共有して使用する場合、複数のユーザのうちの特定のユーザに対応した向きにコンテンツ等を回転させて表示することが必要になる。
【０００６】
そこで、従来技術として、表示画面に表示されたコンテンツ等を回転させる例として、例えば、画像処理装置において、簡単な操作でオブジェクトを回転して表示枠内に収まるように表示する画像処理プログラムが提案されている（特許文献２を参照）。
【０００７】
また、その他の例として、表示制御装置において、表示画面上の表示オブジェクトに対してドラッグが行われた場合に、ドラッグに追従して表示オブジェクトをスクロールするように制御し、ドラッグを行っていた位置入力が終了した場合に、ドラッグの最後の移動方向に応じて、最後の移動方向が第１の方向であれば、前記表示オブジェクトのうち現在表示している位置の直前の区切り位置まで戻るように該表示オブジェクトをスクロールさせるようにしたものが提案されている（特許文献３を参照）。
【先行技術文献】
【特許文献】
【０００８】
【特許文献１】特開２０１５−２１９７３８号公報
【特許文献２】特開２０１４−７２６１５号公報
【特許文献３】特開２０１５−２２５４８３号公報
【発明の概要】
【発明が解決しようとする課題】
【０００９】
例えば、大画面の表示装置を平置きにして、複数のユーザが１つの表示画面を共有して使用する場合、表示画面に表示されるコンテンツを特定のユーザに対して見やすく配置する必要がある。
【００１０】
しかしながら、特許文献２に記載される従来技術では、図２３に示すように、元のコンテンツ（画像）２Ｓが大きく表示されている場合に、図２４，図２５，図２６に示すように、コンテンツ２Ｓの回転にともない、表示領域１２１Ｓ外にはみ出さないようにするため、コンテンツ枠（ウィンドウ枠）２１Ｓおよびコンテンツ画像２２Ｓの両方を自動的に縮小して表示するようにされているため、コンテンツ２Ｓが縮小されると、コンテンツ２Ｓに文字等が含まれている場合には、文字等が潰れて読みにくくなる場合があるという問題があった。
【００１１】
一部のコンテンツ表示/操作用アプリケーションでは、コンテンツ２Ｓに付随するコンテンツメニューバー２３Ｓ等のＵＩを常時表示するため、コンテンツ２Ｓの表示をディスプレイの表示領域に収めるよう制限をかけているものがある。そのようなアプリケーションにおいては、コンテンツ２Ｓを回転させた際、コンテンツ２Ｓが縮小される場合がある。
【００１２】
また、図２７に示すように、回転を戻した後のコンテンツ２Ｓが縮小されたままで表示される場合には、元のサイズに戻す必要があるため、ユーザの操作が煩雑になるという問題があった。
【００１３】
本発明は、上記問題に鑑みてなされたものであって、簡単な構成でコンテンツを回転表示した場合でもコンテンツの視認性を確保するとともに、操作性に優れたコンテンツ表示装置を提供することを目的とする。
【課題を解決するための手段】
【００１４】
本発明のコンテンツ表示装置は、表示領域にコンテンツを表示する制御を行う表示制御部と、前記コンテンツへの回転方向と操作量とを含む操作情報を検出する検出部と、前記コンテンツの操作前の座標情報と前記操作情報とを記憶する記憶部と、前記操作情報から得られた回転角度と前記コンテンツの形状の大きさに基づき、当該コンテンツの表示倍率を決定する決定部と、を備え、前記表示制御部は、前記コンテンツの回転角度に基づき、前記決定部で決定した前記表示倍率のコンテンツの形状に当該表示倍率とは異なる表示倍率で前記コンテンツを表示するか、前記コンテンツの形状と同一の表示倍率でコンテンツを表示することを特徴とする。
【００１５】
本発明のコンテンツ表示装置は、表示領域にコンテンツを表示する制御を行う表示制御部と、前記コンテンツへの回転方向と操作量とを含む操作情報を検出する検出部と、前記コンテンツの操作前の座標情報と前記操作情報とからコンテンツの形状の大きさを算出する算出部と、前記前記コンテンツの形状の大きさに基づき、当該コンテンツの表示倍率を決定する決定部と、を備え、前記表示制御部は、前記コンテンツの形状の大きさが、前記表示領域の大きさを超えると、前記決定部で決定した前記表示倍率のコンテンツの形状に当該表示倍率とは異なる表示倍率で前記コンテンツを表示することを特徴とする。
【００１６】
本発明のコンテンツ表示装置は、表示領域にコンテンツを表示する制御を行う表示制御部と、前記コンテンツへの操作を検出する検出部と、前記検出部によりコンテンツの回転操作が検出された場合、回転角度と、コンテンツの形状の大きさとからコンテンツの高さを算出する算出部と、を備え、前記表示制御部は、前記コンテンツの形状の高さが、前記表示領域の大きさを超えた場合には、コンテンツの形状の高さを前記表示領域の大きさ以下になる表示倍率で縮小表示しつつ、コンテンツは縮小表示したコンテンツの形状で含まれる範囲に等倍で表示することを特徴とする。
【発明の効果】
【００１７】
本発明のコンテンツ表示装置によれば、表示部の表示領域にコンテンツを表示するコンテンツ表示装置において、前記コンテンツには、前記コンテンツを構成するコンテンツ画像と、前記コンテンツ画像の表示領域を示すコンテンツ枠とを含み、前記表示部に表示されたコンテンツへのジェスチャー操作による回転方向と操作量を含む操作情報を検出する操作検出手段と、前記コンテンツの操作前の座標情報と前記操作情報とを関連付けて記憶する記憶部と、前記操作情報から得られた回転角度と座標位置に基づき、前記コンテンツの表示倍率を決定するとともに、前記表示倍率で拡大または縮小する第１の表示処理により出力されたコンテンツ枠を表示する第１の表示手段と、前記コンテンツの回転角度に基づき前記第１の表示処理における前記コンテンツ枠とは異なる表示倍率で表示する第２の表示処理により出力されたコンテンツ画像を表示する第２の表示手段と、前記操作検出手段により前記コンテンツが特定角度に回転操作されたことが検出された場合に、ジェスチャー操作前に表示されていた座標情報に基づき前記コンテンツ枠と前記コンテンツ画像とを特定角度で表示する第３の表示手段と、を備えることで、簡単な構成で、コンテンツを回転表示した場合でもコンテンツが縮小されることなく視認性を確保することができる。これにより、コンテンツの拡大操作を不要として、操作性に優れたコンテンツ表示装置を提供することができる。
【００１８】
また、本発明のプログラムによれば、コンピュータに、表示領域にコンテンツを表示する表示機能と、前記表示領域に表示されたコンテンツへのジェスチャー操作による回転方向と操作量を含む操作情報を検出する操作検出機能と、前記コンテンツの操作前の座標情報と前記操作情報とを関連付けて記憶する記憶機能と、前記操作情報から得られた回転角度と座標位置に基づき、前記コンテンツの表示倍率を決定するとともに、前記表示倍率で拡大または縮小する第１の表示処理により出力されたコンテンツ枠を表示する第１の表示機能と、前記コンテンツの回転角度に基づき前記第１の表示処理における前記コンテンツ枠とは異なる表示倍率で表示する第２の表示処理により出力されたコンテンツ画像を表示する第２の表示機能と、前記操作検出機能により前記コンテンツが特定角度に回転操作されたことが検出された場合に、ジェスチャー操作前に表示されていた座標情報に基づき前記コンテンツ枠と前記コンテンツ画像とを特定角度で表示する第３の表示機能と、を実現させることで、簡単な構成で、コンテンツを回転表示した場合でもコンテンツが縮小されることなく視認性を確保することができる。これにより、コンテンツの拡大操作を不要として、操作性に優れたコンテンツ表示装置を提供することができる。
【図面の簡単な説明】
【００１９】
【図１】本発明の第１実施形態に係るコンテンツ表示装置の全体構成を示す説明図である。
【図２】前記コンテンツ表示装置の電気的構成を示すブロック図である。
【図３】前記コンテンツの通常の表示状態を示す説明図である。
【図４】前記コンテンツの回転時の状態を示す説明図である。
【図５】前記コンテンツの対角線と底辺の角度を示す説明図である。
【図６】前記コンテンツが回転した状態の高さを示す説明図である。
【図７】前記コンテンツ表示装置において表示されたコンテンツを回転表示するときの動作処理工程を示すフローチャートである。
【図８】前記コンテンツ表示装置において表示されたコンテンツを１８０°回転表示するときの動作処理工程を示すフローチャートである。
【図９】前記コンテンツ表示装置において通常にコンテンツを表示させた状態を示す説明図である。
【図１０】前記コンテンツ画像を等倍で回転させた状態を示す説明図である。
【図１１】前記コンテンツが垂直位置になった表示状態を示す説明図である。
【図１２】前記コンテンツがさらに回転した状態を示す説明図である。
【図１３】前記コンテンツが回転角度１８０°回転した状態を示す説明図である。
【図１４】本発明の第２実施形態に係るコンテンツ表示装置によりコンテンツを回転表示する際にコンテンツ画像を等倍で回転させた状態を示す説明図である。
【図１５】前記コンテンツが垂直位置になった表示状態を示す説明図である。
【図１６】前記コンテンツが回転角度１８０°回転した状態を示す説明図である。
【図１７】本発明の第３実施形態に係るコンテンツ表示装置によりコンテンツを回転表示する際にコンテンツ画像を等倍で回転させた状態を示す説明図である。
【図１８】前記コンテンツが回転角度１８０°回転した状態を示す説明図である。
【図１９】本発明の第４実施形態に係るコンテンツ表示装置によりコンテンツを回転表示する際にコンテンツ画像を縮小して回転させた状態を示す説明図である。
【図２０】前記コンテンツが回転角度１８０°回転した状態を示す説明図である。
【図２１】本発明の第５実施形態に係るコンテンツ表示装置の全体構成を示す説明図である。
【図２２】前記コンテンツ表示装置の電気的構成を示すブロック図である。
【図２３】従来のコンテンツの通常の表示状態を示す説明図である。
【図２４】前記コンテンツの回転時の状態を示す説明図である。
【図２５】前記コンテンツの回転時の状態を示す説明図である。
【図２６】前記コンテンツの回転時の状態を示す説明図である。
【図２７】前記コンテンツが回転角度１８０°回転した状態を示す説明図である。
【発明を実施するための形態】
【００２０】
（第１実施形態）
以下、本発明の第１実施形態について図面を参照して説明する。
図１は発明を実施する形態の一例であって、本発明の第１実施形態に係るコンテンツ表示装置の全体構成を示す説明図、図２は前記コンテンツ表示装置の電気的構成を示すブロック図である。
【００２１】
本発明の第１実施形態は、図１,図２に示すように、表示領域１２１にコンテンツ２を表示する表示部１２０と、タッチ検出部（操作検出手段）１４０と、記憶部１６０と、画像処理部（表示手段）１８０と、を備えるコンテンツ表示装置１であって、コンテンツ２を表示部１２０に視認性を良好に表示するために、画像処理部１８０の構成として、本発明に係るコンテンツ表示装置の特徴的な構成を備えたものである。
【００２２】
第１実施形態のコンテンツ表示装置１は、図１に示すように、矩形状の筐体１０１に表示部１２０が設けられ、平置きにした状態で、表示部１２０の表示領域１２１において、複数の操作者が操作できるように構成されている。例えば、ディスプレイに対面した商談利用や、四方向から操作することによる種々の打合せでの利用が可能である。
【００２３】
コンテンツ表示装置１は、図２に示すように、制御部１１０、表示部１２０、タッチ検出部１４０、記憶部１６０、および画像処理部１８０を備えて構成されている。
【００２４】
制御部１１０は、例えばＣＰＵ（Central Process Unit）等により構成され、コンテンツ表示装置１の全体を制御する。
【００２５】
表示部１２０は、各種情報を表示するための機能部である。例えば、液晶ディスプレイ（ＬＣＤ）や、有機ＥＬディスプレイ等により構成されている。
【００２６】
タッチ検出部１４０は、ユーザからタッチ操作による入力を検知できる機能部であって、表示部１２０と一体となってタッチパネルとして形成されている。
【００２７】
第１実施形態では、タッチ検出部１４０は、表示部１２０の表示領域１２１に表示されたコンテンツ２へのジェスチャー操作による回転方向と操作量を含む操作情報を検出することを特徴としている。
【００２８】
また、タッチ検出部１４０は、ユーザからのタップ、ホールド、スライド、フリック、ピンチ、ホールドといった各種操作を検知することが可能である。また、ユーザからの入力の検知を複数検知することが可能である。例えば、５点同時であったり、１０点同時であったりする。
【００２９】
また、検出範囲が所定の範囲内であり、かつ、検知点として複数検知された場合には、所定の範囲が選択されていると検知することも可能である。
【００３０】
記憶部１６０は、例えば、半導体メモリや、ＨＤＤ（Hard Disk Drive）等により構成されている。
【００３１】
記憶部１６０は、コンテンツ表示装置１の動作に必要な制御プログラム１６１等の各種プログラムや、各種データが記憶されている機能部である。
【００３２】
第１実施形態では、記憶部１６０は、各種コンテンツの情報が一時的に記憶されるコンテンツ情報一時記憶部１６２を備えることを特徴としている。
【００３３】
コンテンツ情報一時記憶部１６２は、コンテンツ２のタッチ操作前の座標情報と前記操作情報とを関連付けて記憶することを特徴としている。コンテンツ２は、コンテンツ画像と、コンテンツ枠とを有している。
【００３４】
コンテンツ情報一時記憶部１６２には、コンテンツ枠座標情報や回転角度を含むコンテンツ情報が記憶される。このコンテンツは、例えば画像データ、映像データであっても良いし、ＰＤＦやドキュメントファイル、プレゼンテーションファイル等といった表示部１２０に表示可能なファイルが含まれている。
【００３５】
画像処理部１８０は、ファイル等から読み出されたコンテンツを展開し、表示画像を出力したり、画像にフィルタ等の画像処理を施すための機能部である。ここで、従来の画像処理（例えば、コンテンツから表示する画像を抽出する、表示画像を単純に拡大・縮小表示する）についてはその説明を省略する。
【００３６】
第１実施形態では、画像処理部１８０は、コンテンツ枠に係る表示処理を行う第１の表示処理部（第１の表示手段）１８１と、コンテンツ画像に係る表示処理を行う第２の表示処理部（第２の表示手段）１８２と、コンテンツ全体の表示処理を行う第３の表示処理部（第３の表示手段）１８３とを備えることを特徴としている。
【００３７】
第１の表示処理部１８１は、タッチ検出部１４０により検出された操作情報から得られたコンテンツ２の回転角度と座標位置に基づき、コンテンツ２の表示倍率を決定するとともに、前記表示倍率で拡大または縮小する第１の表示処理により出力されたコンテンツ枠２１を表示する。
【００３８】
第２の表示処理部１８２は、コンテンツ２の回転角度に基づき第１の表示処理におけるコンテンツ枠２１とは異なる表示倍率で表示する第２の表示処理により出力されたコンテンツ画像２２を表示する。
【００３９】
第３の表示処理部１８３は、タッチ検出部１４０によりコンテンツ２が特定角度に回転操作されたことが検出された場合に、ジェスチャー操作前に表示されていた座標情報に基づきコンテンツ２を表示する。
【００４０】
次に、第１実施形態のコンテンツ表示装置１において、表示部１２０に表示されたコンテンツ２を回転表示するときの動作処理について説明する。
図３は第１実施形態におけるコンテンツの通常の表示状態を示す説明図、図４は前記コンテンツの回転時の状態を示す説明図、図５は前記コンテンツの対角線と底辺の角度を示す説明図、図６は前記コンテンツが回転した状態の高さを示す説明図、図７は本発明の第１実施形態のコンテンツ表示装置において表示されたコンテンツを回転表示するときの動作処理工程を示すフローチャートである。
【００４１】
まず、コンテンツ表示装置１に表示されるコンテンツを回転させたときの状態を説明する。
【００４２】
コンテンツ表示装置１には、図３に示すように、横長の矩形状のコンテンツ２が表示されている。コンテンツ２の基準線Ｌ１は、水平状態となって水平線Ｌ０と一致している。
【００４３】
コンテンツ２が反時計回りに角度α°回転した状態は、図４に示すように、基準線Ｌ１が水平線Ｌ０に対して角度α°傾斜した状態となる。
【００４４】
コンテンツ２の対角線長Ｌ２は、図５に示すように、底辺Ｌ３に対して角度β°傾斜した状態となっている。
【００４５】
コンテンツ２が回転して角度α°傾斜した状態のときのコンテンツ２の表示領域の高さγは、図６に示すように、コンテンツの回転角度α°と対角線角度β°と対角線長Ｌ２より、以下の式（１）より求められる。
γ＝Ｌ２ｓｉｎ（α＋β）・・・（１）
【００４６】
次に、コンテンツ表示装置１において、表示されたコンテンツ２を回転表示するときの動作処理についてフローチャートに沿って説明する。
【００４７】
コンテンツ表示装置１において、表示部１２０にコンテンツ２が表示されると（図１を参照）、図７に示すように、ユーザのジェスチャー操作による回転操作が開始される前のコンテンツ２のサイズ、座標位置がコンテンツ情報一時記憶部１６２に記憶される（ステップＳ１０１）。
【００４８】
そして、タッチ検出部１４０によりコンテンツ２に対してタッチ操作が行われたか否かが判定される（ステップＳ１０２）。
【００４９】
ステップＳ１０２において、タッチ検出部１４０によりコンテンツ２に対してタッチ操作が行われたと判定された場合は、コンテンツ２の回転操作が行われたか否かが判定される（ステップＳ１０３）。
【００５０】
そして、ステップＳ１０３において、コンテンツ２の回転操作が行われたと判定された場合は、コンテンツ２の回転操作が停止したか否かが判定される（ステップＳ１０４）。
【００５１】
一方、ステップＳ１０３において、コンテンツ２の回転操作が行われていないと判定された場合は、他の操作工程に進む（以下省略）。
【００５２】
ステップＳ１０４において、コンテンツ２の回転操作が停止したと判定された場合は、ステップＳ１０５において、回転角度α°が算出される。
【００５３】
そして、ステップＳ１０６において、コンテンツ２の操作開始前のサイズからコンテンツ対角線Ｌ２と底辺Ｌ３とにより成す角度β°が算出される。
【００５４】
そして、ステップＳ１０７において、コンテンツ２の高さγが算出され、ステップＳ１０８において、コンテンツ２の高さγがコンテンツ２の表示領域よりも大きいか否かが判定される。
【００５５】
ステップＳ１０８において、コンテンツ２の高さγがコンテンツ２の表示領域よりも大きいと判定された場合は、コンテンツ枠の縮小処理が行われて縮小された状態で表示される。このとき、コンテンツ内部の画像の表示倍率は、コンテンツ２が表示された当初の表示倍率のまま維持されて、等倍サイズで回転したコンテンツ２が表示される（ステップＳ１０９）
【００５６】
一方、ステップＳ１０８において、コンテンツ２の高さγがコンテンツ２の表示領域よりも小さいと判定された場合は、コンテンツ２は通常の回転処理が行われて、等倍サイズで回転したコンテンツ２が表示され（ステップＳ１１０）、コンテンツ２の操作開始前のサイズや位置情報が削除される（ステップＳ１１１）。
【００５７】
このようにして、コンテンツ２の回転表示の処理が終了する。
【００５８】
次に、第１実施形態のコンテンツ表示装置１において、表示部１２０に表示されたコンテンツ２を１８０°回転（または、元に戻す回転）するときの動作処理についてフローチャートに沿って説明する。
図８は本発明の第１実施形態のコンテンツ表示装置において表示されたコンテンツを１８０°回転表示するときの動作処理工程を示すフローチャートである。
【００５９】
まず、コンテンツ表示装置１の表示部１２０に表示されたコンテンツ２に対してタッチ操作が行われたか否かが判定される（ステップＳ２０１）。
【００６０】
ステップＳ２０１において、タッチ検出部１４０によりコンテンツ２に対してタッチ操作が行われたと判定された場合は、コンテンツ２の回転操作が行われたか否かが判定される（ステップＳ２０２）。
【００６１】
そして、ステップＳ２０２において、コンテンツ２の回転操作が行われたと判定された場合は、コンテンツ２の回転操作が停止したか否かが判定される（ステップＳ２０３）。
【００６２】
一方、ステップＳ２０２において、コンテンツ２の回転操作が行われていないと判定された場合は、他の操作工程に進む（以下省略）。
【００６３】
ステップＳ２０３において、コンテンツ２の回転操作が停止したと判定された場合は、ステップＳ２０４において、回転角度α°が算出される。
【００６４】
そして、コンテンツ２の回転角度α°が元の状態の回転角度０°または回転角度１８０°であるか否かが判定される（ステップＳ２０５）。
【００６５】
ステップＳ２０５において、コンテンツ２の回転角度α°が元の状態の回転角度０°または回転角度１８０°であると判定された場合は、コンテンツ２の操作開始前のサイズと座標位置に復元されて元のコンテンツ２が表示され（ステップＳ２０６）、コンテンツ２の操作開始前のサイズと位置情報は削除される（ステップＳ２０７）。
【００６６】
一方、ステップＳ２０５において、コンテンツ２の回転角度α°が元の状態の回転角度０°または回転角度１８０°ではないと判定された場合は、コンテンツ２の操作開始前のサイズからコンテンツ対角線Ｌ２と底辺Ｌ３とにより成す角度β°が算出される（ステップＳ２０８）。
【００６７】
そして、ステップＳ２０９において、コンテンツ２の高さγが算出され、ステップＳ２１０において、コンテンツ２の高さγがコンテンツ２の表示領域よりも大きいか否かが判定される。
【００６８】
ステップＳ２１０において、コンテンツ２の高さγがコンテンツ２の表示領域よりも大きいと判定された場合は、コンテンツ枠の縮小処理が行われて縮小された状態で表示される。このとき、コンテンツ内部の画像の表示倍率は、コンテンツ２が表示された当初の表示倍率のまま維持されて、等倍サイズで回転したコンテンツ２が表示される（ステップＳ２１１）。
【００６９】
一方、ステップＳ２１０において、コンテンツ２の高さγがコンテンツ２の表示領域よりも小さいと判定された場合は、コンテンツ２は通常の回転処理が行われて、等倍サイズで回転したコンテンツ２が表示される（ステップＳ２１２）。
【００７０】
このようにして、コンテンツ２を元の状態に戻したり回転角度を１８０°にしたときの回転表示の処理が終了する。
【００７１】
ここで、第１実施形態のコンテンツ表示装置１において、コンテンツを回転させるときの表示状態を図面を参照して具体的に説明する。
図９は第１実施形態のコンテンツ表示装置において通常にコンテンツを表示させた状態を示す説明図、図１０は前記コンテンツ画像を等倍で回転させた状態を示す説明図、図１１は前記コンテンツが垂直位置になった表示状態を示す説明図、図１２は前記コンテンツがさらに回転した状態を示す説明図、図１３は前記コンテンツが回転角度１８０°回転した状態を示す説明図である。
【００７２】
まず、コンテンツ表示装置１において、コンテンツ２は、図９に示すように、表示部１２０の表示領域１２１に横長の矩形状に表示されている。コンテンツ２の横サイズは、表示領域１２１の縦サイズよりも大きく表示されている。
【００７３】
第１実施形態では、コンテンツ表示装置１の表示部１２０において、コンテンツ２がユーザのジェスチャー操作により回転操作されると、図１０,図１１，図１２に示すように、コンテンツ枠２１は表示領域１２１内に全体が表示されるように、元のサイズよりも縮小されて表示される。このとき、コンテンツ画像２２は、縮小されたコンテンツ枠２１内の中央部を中心に、表示される範囲で等倍サイズで表示される。
【００７４】
コンテンツ２が垂直状態に回転された状態でも、図１１に示すように、コンテンツ枠２１は、表示領域１２１内に全体が表示されるように、元のサイズよりも縮小されて表示される。そして、コンテンツ画像２２は、縮小されたコンテンツ枠２１内に表示される範囲で等倍サイズで表示される。
【００７５】
そして、コンテンツ２の回転操作が終了して、コンテンツ２が回転角度１８０°で反転した状態となったときは、図１３に示すように、コンテンツ枠２１は、コンテンツ２が操作される前の元の表示倍率に戻って等倍で表示され、コンテンツ画像は、等倍のまま表示される。
【００７６】
以上のように構成したので、第１実施形態によれば、コンテンツ表示装置１において、タッチ検出部１４０と、記憶部１６０の構成としてコンテンツ情報一時記憶部１６２と、画像処理部１８０の構成として、コンテンツ枠２１に係る表示処理を行う第１の表示処理部１８１と、コンテンツ画像２２に係る表示処理を行う第２の表示処理部１８２と、コンテンツ２全体の表示処理を行う第３の表示処理部１８３と、を備えることで、コンテンツ２を回転表示するときに、コンテンツ枠２１が縮小表示された状態でも、コンテンツ画像２２は等倍で表示されるので、コンテンツの情報を明確に表示したまま回転表示することができる。したがって、簡単な構成で、コンテンツの拡大操作を不要として、コンテンツの視認性を確保することができる。これにより、操作性に優れ、コンテンツの視認性を良好にしたコンテンツ表示装置を実現することができる。
【００７７】
（第２実施形態）
次に、本発明の第２実施形態について説明する。
図１４は本発明の第２実施形態に係るコンテンツ表示装置によりコンテンツを回転表示する際にコンテンツ画像を等倍で回転させた状態を示す説明図、図１５は前記コンテンツが垂直位置になった表示状態を示す説明図、図１６は前記コンテンツが回転角度１８０°回転した状態を示す説明図である。
【００７８】
なお、第２実施形態のコンテンツ表示装置は、第１実施形態のコンテンツ表示装置と同様な構成を有するものであり、同様な構成を有するものは、同じ符号を付することで説明を省略する。
【００７９】
第２実施形態において、第１実施形態と異なる点は、コンテンツ２０２を回転表示する際に、コンテンツ２０２を垂直状態（回転角度を９０°または２７０°）にしたとき、コンテンツ画像２２２を縮小倍率して全体をコンテンツ枠２２１内に表示することにある。
【００８０】
まず、第２実施形態においては、第１実施形態と同様に、コンテンツ２０２は、図９を参照して、表示部１２０の表示領域１２１に横長の矩形状に表示されている。コンテンツ２０２の横サイズは、表示領域１２１の縦サイズよりも大きく表示されている。
【００８１】
第２実施形態では、コンテンツ表示装置１の表示部１２０において、コンテンツ２０２が回転操作されると、コンテンツ枠２２１は表示領域１２１内に全体が表示されるように、元のサイズよりも縮小されて表示される。このとき、コンテンツ画像２２２は、縮小されたコンテンツ枠２２１内の中央部を中心に、表示される範囲で等倍サイズで表示される（図１０を参照）。
【００８２】
コンテンツ２０２が垂直状態に回転されたときは、図１５に示すように、コンテンツ枠２２１は表示領域１２１内に全体が表示されるように、元のサイズよりも縮小されて表示され、コンテンツ画像２２２は、縮小されたコンテンツ枠２２１内に全体が表示されるように、縮小されて表示される。
【００８３】
コンテンツ２０２が回転角度１８０°で反転した状態では、図１６に示すように、コンテンツ枠２２１は、コンテンツ２０２が操作される前の元の表示倍率に戻って等倍で表示され、コンテンツ画像は、等倍のまま表示される。
【００８４】
以上のように構成したので、第２実施形態によれば、コンテンツ表示装置１において、タッチ検出部１４０と、記憶部１６０の構成としてコンテンツ情報一時記憶部１６２と、画像処理部１８０の構成として、コンテンツ枠に係る表示処理を行う第１の表示処理部１８１と、コンテンツ画像に係る表示処理を行う第２の表示処理部１８２と、コンテンツ全体の表示処理を行う第３の表示処理部１８３と、を備え、第２の表示処理部１８２において、コンテンツ２０２が垂直状態に回転されたときは、コンテンツ画像２２２を縮小されたコンテンツ枠２１内に全体が表示されるように縮小表示することで、第１実施形態における作用効果に加えて、表示部１２０に対して横方向から見るユーザに対して、コンテンツ２０２の全体を容易に確認し易くすることができる。
【００８５】
（第３実施形態）
次に、本発明の第３実施形態について説明する。
図１７は本発明の第３実施形態に係るコンテンツ表示装置によりコンテンツを回転表示する際にコンテンツ画像を等倍で回転させた状態を示す説明図、図１８は前記コンテンツが回転角度１８０°回転した状態を示す説明図である。
【００８６】
なお、第３実施形態のコンテンツ表示装置は、第１実施形態のコンテンツ表示装置と同様な構成を有するものであり、同様な構成を有するものは、同じ符号を付することで説明を省略する。
【００８７】
第３実施形態において、上述した実施形態と異なる点は、コンテンツ３０２を回転表示する際に、コンテンツ３０２を１８０°回転（または、元に戻す回転）したとき、コンテンツ枠３２１を縮小倍率した状態のままで、コンテンツ画像３２２を等倍でコンテンツ枠３２１内に表示することにある。
【００８８】
まず、第３実施形態においては、第１実施形態と同様に、コンテンツ３０２は、図９を参照して、表示部１２０の表示領域１２１に横長の矩形状に表示されている。コンテンツ３０２の横サイズは、表示領域１２１の縦サイズよりも大きく表示されている。
【００８９】
第３実施形態では、コンテンツ表示装置１の表示部１２０において、コンテンツ３０２が回転操作されると、コンテンツ枠３２１は表示領域１２１内に全体が表示されるように、元のサイズよりも縮小されて表示される。このとき、コンテンツ画像３２２は、縮小されたコンテンツ枠３２１内の中央部を中心に、表示される範囲で等倍サイズで表示される（図１０を参照）。
【００９０】
コンテンツ３０２が回転角度１８０°で反転した状態では、図１８に示すように、コンテンツ枠３２１は、縮小倍率した状態のままで表示され、コンテンツ画像３２２は、コンテンツ枠３２１内に表示される範囲で等倍のまま表示される。
【００９１】
以上のように構成したので、第３実施形態によれば、コンテンツ表示装置１において、タッチ検出部１４０と、記憶部１６０の構成としてコンテンツ情報一時記憶部１６２と、画像処理部１８０の構成として、コンテンツ枠に係る表示処理を行う第１の表示処理部１８１と、コンテンツ画像に係る表示処理を行う第２の表示処理部１８２と、コンテンツ全体の表示処理を行う第３の表示処理部１８３と、を備え、第３の表示処理部１８３において、コンテンツ３０２が１８０°回転（または、元に戻す回転）したとき、コンテンツ枠３２１を縮小倍率した状態のままで、コンテンツ画像３２２を等倍でコンテンツ枠３２１内に表示すること、表示部１２０の上下左右方向から見るユーザに対して、同じような状態で平等にコンテンツ３０２の情報を確認することができる。
【００９２】
（第４実施形態）
次に、本発明の第４実施形態について説明する。
図１９は本発明の第４実施形態に係るコンテンツ表示装置によりコンテンツを回転表示する際にコンテンツ画像を縮小して回転させた状態を示す説明図、図２０は前記コンテンツが回転角度１８０°回転した状態を示す説明図である。
【００９３】
なお、第４実施形態のコンテンツ表示装置は、第１実施形態のコンテンツ表示装置と同様な構成を有するものであり、同様な構成を有するものは、同じ符号を付することで説明を省略する。
【００９４】
第４実施形態において、上述した実施形態と異なる点は、コンテンツ４０２を回転表示する際に、コンテンツ枠４２１を縮小して表示するとともに、コンテンツ画像４２２も縮小して表示して全体をコンテンツ枠４２１内に表示することにある。
【００９５】
まず、第４実施形態においては、第１実施形態と同様に、コンテンツ４０２は、図９を参照して、表示部１２０の表示領域１２１に横長の矩形状に表示されている。コンテンツ４０２の横サイズは、表示領域１２１の縦サイズよりも大きく表示されている。
【００９６】
第４実施形態では、コンテンツ表示装置１の表示部１２０において、コンテンツ４０２が回転操作されると、コンテンツ枠４２１は表示領域１２１内に全体が表示されるように、元のサイズよりも縮小されて表示される。このとき、コンテンツ画像４２２は、図１９に示すように、コンテンツ枠４２１と同様に縮小されて表示され、縮小されたコンテンツ枠４２１内に全体が表示される。
【００９７】
コンテンツ４０２が回転角度１８０°で反転した状態では、図２０に示すように、コンテンツ枠４２１は、コンテンツ２０２が操作される前の元の表示倍率に戻って等倍で表示され、コンテンツ画像もまた、元の表示倍率に戻って等倍で表示される。
【００９８】
以上のように構成したので、第４実施形態によれば、コンテンツ表示装置１において、タッチ検出部１４０と、記憶部１６０の構成としてコンテンツ情報一時記憶部１６２と、画像処理部１８０の構成として、コンテンツ枠に係る表示処理を行う第１の表示処理部１８１と、コンテンツ画像に係る表示処理を行う第２の表示処理部１８２と、コンテンツ全体の表示処理を行う第３の表示処理部１８３と、を備え、第２の表示処理部１８２において、コンテンツ４０２が回転操作されている状態では、コンテンツ画像４２２を縮小されたコンテンツ枠４２１内に全体が表示されるように縮小表示することで、第１実施形態における作用効果に加えて、コンテンツ４０２の全体が回転操作されていることをユーザが容易に確認することができる。
【００９９】
（第５実施形態）
次に、第５実施形態について説明する。
図２１は本発明の第５実施形態に係るコンテンツ表示装置の全体構成を示す説明図、図２２は前記コンテンツ表示装置の電気的構成を示すブロック図である。
【０１００】
本発明の第５実施形態に係るコンテンツ表示装置５０１は、第１実施形態におけるコンテンツ表示装置１の構成に加えて、図２１，図２２に示すように、画像処理部５８０の構成として、コンテンツメニューバー５２３に係る表示処理を行う第４の表示処理部（第４の表示手段）１８４を備えることを特徴としている。
【０１０１】
第４の表示処理部１８４は、コンテンツ５０２の回転角度に基づき第１の表示処理におけるコンテンツ枠５２１とは異なる表示倍率で表示する第４の表示処理により出力されたコンテンツメニューバー５２３を表示する。
【０１０２】
そして、第４の表示処理部１８４は、第２の表示処理部１８２および第３の表示処理部１８３におけるコンテンツ画像５２２の表示処理にともない、コンテンツメニューバー５２３をコンテンツ画像５２２の表示状態に合わせて表示倍率を変更したり、等倍で表示するようにされている。
【０１０３】
以上のように構成することで、コンテンツ表示装置５０１において、タッチ検出部１４０と、記憶部１６０の構成としてコンテンツ情報一時記憶部１６２と、画像処理部５８０の構成として、コンテンツ枠５２１に係る表示処理を行う第１の表示処理部１８１、コンテンツ画像２２に係る表示処理を行う第２の表示処理部１８２、コンテンツ２全体の表示処理を行う第３の表示処理部１８３に加えて、コンテンツメニューバー５２３に係る表示処理を行う第４の表示処理部１８４を備えることで、上述した実施形態による作用効果に加えて、コンテンツ５０２を回転表示するときに、コンテンツ枠５２１が縮小表示された状態でも、コンテンツ画像５２２およびコンテンツメニューバー５２３は等倍で表示されるので、コンテンツの情報を明確に表示したまま回転表示することができる。したがって、簡単な構成で、コンテンツの拡大操作を不要として、コンテンツの視認性を確保することができる。
【０１０４】
（第６実施形態）
次に、第６実施形態について説明する。
上述した実施形態のコンテンツ表示装置においては、コンテンツをジェスチャー操作により回転操作を行うようにしているが、本発明は、操作方法を限定するものではなく、ジェスチャー操作を行う操作方法に応じて、コンテンツの表示状態を切り換えるようにしてもよい。
【０１０５】
例えば、手指を用いてジェスチャー操作を行う場合に、３本指による操作の場合の表示状態、２本指による操作の場合の表示状態、あるいは、左手でタッチしつつ右手の複数の指による操作の場合の表示状態など、それぞれのジェスチャー操作に応じて複数の表示状態に切り換えるようにしてもよい。
【０１０６】
（第７実施形態）
次に、第７実施形態について説明する。
上述した実施形態のコンテンツ表示装置においては、表示されたコンテンツに対して、ジェスチャー操作に応じて、コンテンツ枠やコンテンツ画像の表示倍率や表示状態を設定するようにしているが、コンテンツが表示される初期状態に応じてコンテンツの表示状態を切り換えるようにしてもよい。
【０１０７】
例えば、最初に表示されているコンテンツが拡大表示されている場合は、第１実施形態のような表示設定を用いたり、倍率を掛けていない（等倍）場合は、第４実施形態のような表示設定を用いるようにしてもよい。
【０１０８】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１０９】
１,５０１  コンテンツ表示装置
２,２０２,３０２,４０２,５０２  コンテンツ
２１,２２１,３２１,４２１，５２１  コンテンツ枠
２２,２２２,３２２,４２２，５２２  コンテンツ画像
５２３  コンテンツメニューバー
１１０  制御部
１２０  表示部
１２１  表示領域
１４０  タッチ検出部（操作検出手段）
１６０  記憶部
１６２  コンテンツ情報一時記憶部（記憶部）
１８０,５８０  画像処理部
１８１  第１の表示処理部（第１の表示手段）
１８２  第２の表示処理部（第２の表示手段）
１８３  第３の表示処理部（第３の表示手段）
１８４  第４の表示処理部（第４の表示手段）
【図１】
2020053093.tif 000003
【図２】
2020053093.tif 000004
【図３】
2020053093.tif 000005
【図４】
2020053093.tif 000006
【図５】
2020053093.tif 000007
【図６】
2020053093.tif 000008
【図７】
2020053093.tif 000009
【図８】
2020053093.tif 000010
【図９】
2020053093.tif 000011
【図１０】
2020053093.tif 000012
【図１１】
2020053093.tif 000013
【図１２】
2020053093.tif 000014
【図１３】
2020053093.tif 000015
【図１４】
2020053093.tif 000016
【図１５】
2020053093.tif 000017
【図１６】
2020053093.tif 000018
【図１７】
2020053093.tif 000019
【図１８】
2020053093.tif 000020
【図１９】
2020053093.tif 000021
【図２０】
2020053093.tif 000022
【図２１】
2020053093.tif 000023
【図２２】
2020053093.tif 000024
【図２３】
2020053093.tif 000025
【図２４】
2020053093.tif 000026
【図２５】
2020053093.tif 000027
【図２６】
2020053093.tif 000028
【図２７】
2020053093.tif 000029